(57)【要約】【課題】不完全な組み付けによる放電などの不具合の発生を防止する。【解決手段】バックライト装置１２は、光源である冷陰極管１８と、冷陰極管１８を収容するシャーシ１４と、シャーシ１４に対して冷陰極管１８とは反対側に配され、冷陰極管１８に対して駆動電力を供給するインバータ基板２０と、シャーシ１４を貫通して配されるコア２７と、コア２７のうちインバータ基板２０側に配される一次巻線２８と、コア２７のうち冷陰極管１８側に配される二次巻線２９とを有し、インバータ基板２０と冷陰極管１８との間の電力供給を中継するトランス２２とを備える。【選択図】図４
2010225531.tif 000002
【特許請求の範囲】
【請求項１】
光源と、
前記光源を収容するシャーシと、
前記シャーシに対して前記光源とは反対側に配され、前記光源に対して駆動電力を供給する電力供給基板と、
前記シャーシを貫通して配されるコアと、前記コアのうち前記電力供給基板側に配される一次巻線と、前記コアのうち前記光源側に配される二次巻線とを有し、前記電力供給基板と前記光源との間の電力供給を中継するトランスとを備える照明装置。
【請求項２】
前記シャーシに取り付けられるとともに前記光源を保持可能な光源保持部材を備えており、
前記コアが前記光源保持部材に一体的に設けられている請求項１記載の照明装置。
【請求項３】
前記二次巻線は、前記光源保持部材に一体的に設けられている請求項２記載の照明装置。
【請求項４】
前記光源保持部材には、一端側が前記二次巻線に、他端側が前記光源に設けられた外部接続部にそれぞれ接続される接続端子が一体的に設けられている請求項２または請求項３記載の照明装置。
【請求項５】
前記外部接続部は、前記光源における端部に配された口金により構成されており、
前記接続端子における前記他端側には、前記口金を弾性的に保持可能な弾性保持片が設けられている請求項４記載の照明装置。
【請求項６】
前記光源保持部材は、絶縁性を有し、前記コアと前記シャーシとの間に介在する絶縁部を備えている請求項２から請求項５のいずれか１項に記載の照明装置。
【請求項７】
前記絶縁部は、前記コアの周りにモールド成形されてなる請求項６記載の照明装置。
【請求項８】
前記コアの周りには、絶縁性を有し、前記シャーシに対して取り付けられる絶縁体が一体的に設けられている請求項１記載の照明装置。
【請求項９】
前記一次巻線は、前記電力供給基板に一体的に設けられている請求項１から請求項８のいずれか１項に記載の照明装置。
【請求項１０】
前記一次巻線は、前記電力供給基板のうち前記シャーシ側とは反対側に配されている請求項９記載の照明装置。
【請求項１１】
前記光源は、放電管とされる請求項１から請求項１０のいずれか１項に記載の照明装置。
【請求項１２】
前記光源は、冷陰極管とされる請求項１１記載の照明装置。
【請求項１３】
請求項１から請求項１２のいずれか１項に記載の照明装置と、前記照明装置からの光を利用して表示を行う表示パネルとを備える表示装置。
【請求項１４】
前記表示パネルは、一対の基板間に液晶を封入してなる液晶パネルとされる請求項１３記載の表示装置。
【請求項１５】
請求項１３または請求項１４に記載された表示装置を備えるテレビ受信装置。
【発明の詳細な説明】
【技術分野】
【０００１】
本発明は、照明装置、表示装置、及びテレビ受信装置に関する。
【背景技術】
【０００２】
例えば、液晶テレビなどの液晶表示装置に用いる液晶パネルは、自発光しないため、別途に照明装置としてバックライト装置を必要としている。このバックライト装置は、液晶パネルの裏側（表示面とは反対側）に設置されるようになっており、液晶パネル側の面が開口したシャーシと、シャーシ内に収容される１本または複数本の冷陰極管と、シャーシの開口部に配されて冷陰極管が発する光を効率的に液晶パネル側へ放出させるための１枚または複数枚の光学部材（拡散シート等）と、冷陰極管に電力を供給可能なインバータ基板とを備える。インバータ基板には、冷陰極管を点灯させるために必要な高圧の交流電圧を得るためのトランスが実装されている。なお、この種のバックライト装置を開示するものの一例として下記特許文献１に記載されたものが知られている。
【先行技術文献】
【特許文献】
【０００３】
【特許文献１】特開２００７−１７４８８１号公報
【発明の概要】
【発明が解決しようとする課題】
【０００４】
ところで、上記したようなバックライト装置では、シャーシには、冷陰極管とインバータ基板とを中継接続するためのコネクタなどの接続部品が貫通して取り付けられている。この接続部品の一端側が冷陰極管に設けられたアウタリードや口金などの外部接続部に、他端側がインバータ基板に設けられた外部接続端子にそれぞれ導通接触されるようになっている。
【０００５】
ところが、接続部品とインバータ基板との接続箇所や、接続部品と冷陰極管との接続箇所において接触状態が不完全であると、トランスにて発生した高圧の交流電圧に起因して接触部位間に大きな電位差が生じ、それにより放電が生じるおそれがあった。しかも、接続部品に対してインバータ基板と冷陰極管とをそれぞれ接続していて接続箇所が２箇所となっていたため、接続箇所にて接触不良が生じる可能性も高くなっていた。
【０００６】
本発明は上記のような事情に基づいて完成されたものであって、不完全な組み付けによる放電などの不具合の発生を防止することを目的とする。
【課題を解決するための手段】
【０００７】
本発明の照明装置は、光源と、前記光源を収容するシャーシと、前記シャーシに対して前記光源とは反対側に配され、前記光源に対して駆動電力を供給する電力供給基板と、前記シャーシを貫通して配されるコアと、前記コアのうち前記電力供給基板側に配される一次巻線と、前記コアのうち前記光源側に配される二次巻線とを有し、前記電力供給基板と前記光源との間の電力供給を中継するトランスとを備える。
【０００８】
上記した構成では、トランスを構成するコアがシャーシを貫通して配されるととともに、一次巻線がコアのうち電力供給基板側に、二次巻線がコアのうち光源側にそれぞれ配されており、トランスが電力供給基板と光源との間の電力供給を中継する機能を有している。従って、トランスを構成するコア、一次巻線及び二次巻線の相互の組み付けが正常であれば、トランスが正常に機能し、電力供給基板から光源に供給する電圧を昇圧することが可能となる。その一方、トランスを構成するコア、一次巻線及び二次巻線の相互の組み付けが不完全であれば、トランスが正常には機能せず、昇圧されることがない。従って、従来のようにトランスを実装した電力供給基板と光源とを接続部品により接続したものでは、その組み付けが不完全であった場合にトランスにて発生した高圧電圧により放電などの不具合が発生するおそれがあるのと比べると、そのような不具合の発生を防ぐことができる。
【０００９】
本発明の実施態様として、次の構成が好ましい。
（１）前記シャーシに取り付けられるとともに前記光源を保持可能な光源保持部材を備えており、前記コアが前記光源保持部材に一体的に設けられている。このようにすれば、組付作業性や取り扱い性に優れるとともに、省スペース化にも好適となる。
【００１０】
（２）前記二次巻線は、前記光源保持部材に一体的に設けられている。このようにすれば、組付作業性や取り扱い性に一層優れるとともに、省スペース化にもより好適となる。
【００１１】
（３）前記光源保持部材には、一端側が前記二次巻線に、他端側が前記光源に設けられた外部接続部にそれぞれ接続される接続端子が一体的に設けられている。このようにすれば、接続端子を介して二次巻線と光源の外部接続部とを接続することができる。
【００１２】
（４）前記外部接続部は、前記光源における端部に配された口金により構成されており、前記接続端子における前記他端側には、前記口金を弾性的に保持可能な弾性保持片が設けられている。このようにすれば、弾性保持片に光源の保持機能と、口金に対する接続機能とを併せ持たせることができ、構造の簡素化に好適となる。
【００１３】
（５）前記光源保持部材は、絶縁性を有し、前記コアと前記シャーシとの間に介在する絶縁部を備えている。このようにすれば、絶縁部によりコアとシャーシとを絶縁状態に保つことができる。
【００１４】
（６）前記絶縁部は、前記コアの周りにモールド成形されてなる。このようにすれば、低コストでもってコアを光源保持部材に一体化させることができる。
【００１５】
（７）前記コアの周りには、絶縁性を有し、前記シャーシに対して取り付けられる絶縁体が一体的に設けられている。このようにすれば、絶縁体により、コアをシャーシに対して取り付けることができるとともに、コアとシャーシとを絶縁状態に保つことができる。
【００１６】
（８）前記一次巻線は、前記電力供給基板に一体的に設けられている。このようにすれば、組付作業性や取り扱い性に優れるとともに、省スペース化にも好適となる。
【００１７】
（９）前記一次巻線は、前記電力供給基板のうち前記シャーシ側とは反対側に配されている。このようにすれば、一次巻線とシャーシとの間に電力供給基板が介在することになるから、一次巻線とコアとの電磁気的関係を安定化させることができる。
【００１８】
（１０）前記光源は、放電管とされる。このようにすれば、光源として放電管を用いるものに好適となる。
【００１９】
（１１）前記光源は、冷陰極管とされる。このようにすれば、光源として冷陰極管を用いるものに好適となる。
【００２０】
次に、上記課題を解決するために、本発明の表示装置は、上記記載の照明装置と、前記照明装置からの光を利用して表示を行う表示パネルとを備える。
【００２１】
このような表示装置によると、表示パネルに対して光を供給する照明装置が、放電などの不具合の発生が防止されているので、動作信頼性に優れる。
【００２２】
前記表示パネルとしては液晶パネルを例示することができる。このような表示装置は液晶表示装置として、種々の用途、例えばテレビやパソコンのディスプレイ等に適用でき、特に大型画面用として好適である。
【発明の効果】
【００２３】
本発明によれば、不完全な組み付けによる放電などの不具合の発生を防止することができる。
【図面の簡単な説明】
【００２４】
【図１】本発明の実施形態１に係るテレビ受信装置の概略構成を示す分解斜視図
【図２】液晶表示装置の長辺方向に沿った断面構成を示す断面図
【図３】バックライト装置における冷陰極管の駆動構成を説明するための回路図
【図４】図２のＸ−Ｘ線断面図
【図５】図４において冷陰極管及びインバータ基板を取り付ける前の状態を示す断面図
【図６】本発明の実施形態２に係る液晶表示装置の長辺方向に沿った断面構成を示す断面図
【発明を実施するための形態】
【００２５】
＜実施形態１＞
本発明の実施形態１を図１から図５によって説明する。本実施形態では、液晶表示装置１０について例示する。なお、各図面の一部にはＸ軸、Ｙ軸及びＺ軸を示しており、各軸方向が各図面で示した方向となるように描かれている。また、図２に示す上側を表側（正面側、光出射側）とし、図２に示す下側を裏側（背面側、光出射側とは反対側）とする。
【００２６】
本実施形態に係るテレビ受信装置ＴＶは、図１に示すように、液晶表示装置１０（表示装置）と、当該液晶表示装置１０を挟むようにして収容する表裏両キャビネットＣａ，Ｃｂと、電源Ｐと、チューナーＴとを備えて構成される。液晶表示装置１０は、全体として横長の方形を成し、図２に示すように、表示パネルである液晶パネル１１と、外部光源であるバックライト装置１２（照明装置）とを備え、これらが枠状をなすベゼル１３などにより一体的に保持されるようになっている。
【００２７】
次に、液晶表示装置１０を構成する液晶パネル１１及びバックライト装置１２について順次に説明する。液晶パネル１１は、平面視矩形状をなしており、図２に示すように、一対のガラス基板１１ａ，１１ｂが所定のギャップを隔てた状態で貼り合わせられるとともに、両ガラス基板１１ａ，１１ｂ間に液晶層（図示せず）が封入された構成とされる。一方のガラス基板１１ａには、互いに直交するソース配線とゲート配線とに接続されたスイッチング素子（例えばＴＦＴ）と、そのスイッチング素子に接続された画素電極、さらには配向膜等が設けられ、他方のガラス基板１１ｂには、Ｒ（赤色），Ｇ（緑色），Ｂ（青色）等の各着色部が所定配列で配置されたカラーフィルタや対向電極、さらには配向膜等が設けられている。このうち、ソース配線、ゲート配線及び対向電極などには、図示しない駆動回路基板から画像を表示するのに必要な画像データや各種制御信号が供給されるようになっている。なお、両ガラス基板１１ａ，１１ｂの外側にはそれぞれ偏光板１１ｃ，１１ｄが配されている。
【００２８】
バックライト装置１２は、図２に示すように、液晶パネル１１の背面直下に光源が配置されてなる、いわゆる直下型のバックライトであり、表側（光出射側、液晶パネル１１側）に開口した略箱型をなすシャーシ１４と、シャーシ１４内に敷設される反射シート１５と、シャーシ１４の開口部を覆うようにして取り付けられる複数枚の光学部材１６と、光学部材１６を保持可能なフレーム１７と、シャーシ１４内に並列した状態で収容される複数本の冷陰極管１８（光源）と、冷陰極管１８の各端部を遮光するとともに自身が光反射性を備えてなるホルダ１９とを備える。さらに、このバックライト装置１２は、シャーシ１４の裏側に配されるインバータ基板２０（電力供給基板）と、冷陰極管１８の一方の端部（図２に示す右側端部）を保持する光源保持部材２１と、インバータ基板２０と冷陰極管１８の一方の端部とを電気的に中継接続するトランス２２と、冷陰極管１８の他方の端部（図２に示す左側端部）を保持する接続部材２３と、接続部材２３を介して冷陰極管１８の他方の端部に接続される接地基板２４とを備える。
【００２９】
このバックライト装置１２における冷陰極管１８の点灯回路について簡単に説明する。点灯回路は、図３に示すように、電源Ｐと、各冷陰極管１８における一方の端部にそれぞれ接続される、複数の駆動用のトランス２２とを備える。電源Ｐからの入力電圧は、各トランス２２にて昇圧されて入力電圧よりも高い出力電圧として各冷陰極管１８に供給されるようになっている。なお、冷陰極管１８の他方の端部は、接地されている。
【００３０】
続いて、バックライト装置１２の各構成部品について詳しく説明する。シャーシ１４は、アルミニウムなどの金属製とされ、液晶パネル１１と同じく平面視矩形状をなす底板１４ａを備える。この底板１４ａの長辺方向が各図面のＸ軸方向と一致し、短辺方向が同Ｙ軸方向と一致している。底板１４ａにおける長辺方向の一端部（図２に示す右側端部）には、光源保持部材２１を取付可能な取付孔１４ｂが貫通して形成されている。取付孔１４ｂは、Ｙ軸方向（底板１４ａの短辺方向）に沿って複数（冷陰極管１８及び光源保持部材２１に対応した数）並列配置されている。反射シート１５は、光の反射性に優れた白色を呈する合成樹脂製とされるとともにシャーシ１４の内面のほぼ全域を覆う形で敷設されていて、冷陰極管１８からの光を光学部材１６側（光出射側）へ反射させる機能を有する。また、反射シート１５には上記取付孔１４ｂに連通する孔が形成されている。
【００３１】
光学部材１６は、シャーシ１４の底板１４ａや液晶パネル１１と同様に平面視矩形状をなし、透光性を有する合成樹脂製とされるとともに、裏側の冷陰極管１８と表側の液晶パネル１１との間に介在する。光学部材１６は、裏側から順に、例えば拡散板、拡散シート、レンズシート、及び輝度上昇シートにより構成されており、線状光源である各冷陰極管１８から発せられる光を均一な面状の光に変換するなどの機能を有する。
【００３２】
フレーム１７は、液晶パネル１１や光学部材１６の外周縁部に沿う枠状をなしている。フレーム１７は、光学部材１６の表側に配されるとともにホルダ１９との間で光学部材１６の外周縁部を挟持できるようになっている。また、フレーム１７は、液晶パネル１１を裏側から受けることができるようになっていて、液晶パネル１１の表側に配されるベゼル１３との間で液晶パネル１１を挟持可能とされる。
【００３３】
冷陰極管１８は、線状光源（管状光源）の一種であり、その軸方向をシャーシ１４の長辺方向（Ｘ軸方向）と一致させた姿勢でシャーシ１４内に取り付けられており、複数本が互いの軸を略平行にし、且つ互いの間に所定の間隔を空けた状態でシャーシ１４の短辺方向（Ｙ軸方向）に沿って並べられている。
【００３４】
この冷陰極管１８は、放電管の一種であり、両端部が封止された断面円形の細長いガラス管１８ａと、ガラス管１８ａの両端部の内側に封入された一対の電極（図示せず）と、ガラス管１８ａの両端部にそれぞれ外装される一対の口金１８ｂとを備えている。ガラス管１８ａは、内部に発光物質である水銀など（蛍光体共々図示せず）が封入されるとともに、その内壁面に蛍光体が塗布されている。口金１８ｂは、導電性に優れた金属材料によってガラス管１８ａの端部に沿ったキャップ状に形成されており、ガラス管１８ａの端部を貫通するアウタリード（図示せず）によって電極に接続され、電極と同電位とされる。
【００３５】
ホルダ１９は、光の反射性に優れた白色を呈する合成樹脂製とされ、図２に示すように、シャーシ１４の短辺方向に沿って延びるとともに、裏側の面が開口した略箱型をなしている。ホルダ１９は、シャーシ１４における長辺方向の両端部に一対取り付けられることで、同位置に並列配置された各冷陰極管１８の端部（非発光部）を一括して覆うことができるようになっている。
【００３６】
インバータ基板２０は、合成樹脂製（例えば紙フェノール製またはガラスエポキシ樹脂製など）の基材上に所定の配線パターンが形成されるとともに各種電子部品（配線パターン共々図示せず）が実装されてなる。このインバータ基板２０は、液晶表示装置１０の電源Ｐに対して接続されており、その電源Ｐから入力される入力電圧を後述するトランス２２に供給してそこで昇圧し、入力電圧よりも高い出力電圧を冷陰極管１８へ出力するなどして冷陰極管１８の点灯・消灯を制御可能とされる。このインバータ基板２０のうち、各光源保持部材２１に対して平面視重畳する部分には、光源保持部材２１のうち後述する軸部２５ｂを挿通可能な挿通孔２０ａがそれぞれ貫通形成されている。挿通孔２０ａは、シャーシ１４の各取付孔１４ｂに対して平面視重畳する位置に配され、冷陰極管１８及び光源保持部材２１の数分、Ｙ軸方向に沿って並列されている。
【００３７】
接地基板２４は、インバータ基板２０と同様に、合成樹脂製（例えば紙フェノール製またはガラスエポキシ樹脂製など）の基材上に所定の配線パターンが形成されている。接続部材２３は、接地基板２４に取り付けられるとともに、冷陰極管１８のうち他方の端部に装着された口金１８ｂを保持しつつも接地基板２４の配線パターンに接続されている。これにより、冷陰極管１８の他方の端部に配した電極及び口金１８ｂを接地することができる。
【００３８】
続いて、光源保持部材２１及びトランス２２について詳細に説明する。光源保持部材２１は、図４に示すように、絶縁性を有する合成樹脂製のハウジング２５を備えるとともに、シャーシ１４に対して貫通した状態で取り付けられる。ハウジング２５は、側方視略Ｔ字型をなし、シャーシ１４内に配された側の端部が相対的に幅広となっており、ここが冷陰極管１８の端部を保持可能な光源保持部２５ａとされる。一方、ハウジング２５のうち、光源保持部２５ａから裏側に向けて突出する、相対的に幅狭な部分が軸部２５ｂとされる。このうち、光源保持部２５ａは、内側に冷陰極管１８を受け入れ可能な一対の側壁を有し、両側壁に挟まれた略中央位置には、導電性を有する金属材料からなる接続端子２６が部分的に埋設されている。接続端子２６は、基部２６ａと、基部２６ａから両側壁間の空間に向けて立ち上がる一対の弾性保持片２６ｂとを備え、両弾性保持片２６ｂにより冷陰極管１８の口金１８ｂを弾性的に保持可能とされる。つまり、この接続端子２６は、冷陰極管１８に対する機械的な保持機能と、電気的な接続機能とを併せ持っていると言える。軸部２５ｂは、略円柱状をなすとともに、シャーシ１４の取付孔１４ｂ、及びインバータ基板２０の挿通孔２０ａに対して挿通される。軸部２５ｂは、インバータ基板２０を貫通してさらにその裏側へ突出するような長さ寸法を有している。軸部２５ｂには、シャーシ１４における取付孔１４ｂの孔縁の裏側に対して係止することで、シャーシ１４に対して光源保持部材２１を取付状態に保持可能な保持突起２５ｃが設けられている。
【００３９】
そして、本実施形態では、トランス２２の構成部品を光源保持部材２１側とインバータ基板２０側とに分散して配置しており、光源保持部材２１とインバータ基板２０とが正常に組み付けられて始めてトランス２２の機能が発揮されるようになっている。具体的には、トランス２２は、コア２７と、コア２７のうちインバータ基板２０側に配される一次巻線２８と、コア２７のうち冷陰極管１８側に配される二次巻線２９とから構成されているのであるが、このうちコア２７及び二次巻線２９が光源保持部材２１に対して一体化される一方、一次巻線２８がインバータ基板２０に対して一体化されている。以下、トランス２２の構成部品について詳しく説明する。
【００４０】
コア２７は、高い透磁率を有する金属材料（例えばケイ素鋼板など）からなる。コア２７は、略円柱状をなすとともに、ハウジング２５における軸部２５ｂ内に全体が埋設されていて、外部に露出することがない。コア２７は、ハウジング２５の軸部２５ｂと共にシャーシ１４及びインバータ基板２０を貫通して配される。従って、Ｘ軸方向及びＹ軸方向について並列するコア２７とシャーシ１４における取付孔１４ｂの孔縁との間、及びコア２７とインバータ基板２０における挿通孔２０ａの孔縁との間には、それぞれ絶縁性を有するハウジング２５が介在していることになる。なお、ハウジング２５は、コア２７の周りにモールド成形されていると言える。このコア２７は、インバータ基板２０側の端部（以下、第１端部２７ａとする）がインバータ基板２０よりも裏側に突出し、冷陰極管１８側の端部（以下、第２端部２７ｂとする）がシャーシ１４よりも表側に突出するような長さ寸法を有している。そして、このコア２７における第１端部２７ａの周りには、ハウジング２５の軸部２５ｂを介してインバータ基板２０側に一体的に設けられた一次巻線２８が、コア２７における第２端部２７ｂの周りには、ハウジング２５の軸部２５ｂの周りに一体的に設けられた二次巻線２９がそれぞれ配されている。
【００４１】
一次巻線２８は、例えば銅線などの金属線を多数回巻回することで全体として中空部を有するドーナツ状に形成されている。一次巻線２８は、その中空部２８ａがインバータ基板２０において各挿通孔２０ａと平面視重畳するような位置にそれぞれ配される。一次巻線２８は、インバータ基板２０における裏側の面、つまりシャーシ１４側とは反対側の面に取り付けられており、その両端部がそれぞれインバータ基板２０上の配線パターンに接続されている。従って、Ｚ軸方向について並列する一次巻線２８とシャーシ１４との間には、インバータ基板２０が介在することになる。そして、一次巻線２８は、光源保持部材２１における軸部２５ｂがインバータ基板２０の挿通孔２０ａ内に挿通されて取付状態とされると、コア２７における第１端部２７ａの周りを、ハウジング２５を介して取り囲んで配される。つまり、コア２７における第１端部２７ａが一次巻線２８の中空部２８ａを貫通することになる。これにより、一次巻線２８に流す電流量を調整することで、電磁誘導作用によりコア２７に発生する磁界を制御することが可能とされる。なお、インバータ基板２０には、一次巻線２８に対して外装されることで、一次巻線２８を取付状態に保持可能な巻線保持部材３０が取り付けられている。
【００４２】
二次巻線２９は、上記した一次巻線２８と同様の構成であり、光源保持部材２１を構成するハウジング２７のうちシャーシ１４よりも表側に突出する部分の周りに巻装されている。詳しくは、ハウジング２５の軸部２５ｂのうち、シャーシ１４及び反射シート１５のすぐ表側には、光源保持部２５ａとの間に所定の間隔を空けてフランジ２５ｄが張り出して形成されており、このフランジ２５ｄと光源保持部２５ａとの間に保有される空間が二次巻線２９用の取付空間となっている。この取付空間に二次巻線２９が巻装された状態では、二次巻線２９の中空部２９ａには、ハウジング２５の軸部２５ｂ及びコア２７の第２端部２７ｂが貫通して配されることになる。また、二次巻線２９の両端部のうち、一端側は接続端子２６の基部２６ａから二次巻線２９側に延出して設けられた巻線接続部２６ｃに対して接続されるのに対し、他端側はシャーシ１４などに接続されることで接地される。従って、この二次巻線２９とコア２７との間には、絶縁性を有するハウジング２５の軸部２５ｂが介在するとともに、一次巻線２８に流される電流に基づいてコア２７に磁界が発生すると、電磁誘導作用によりその磁界に応じた電流が二次巻線に流される。そして、二次巻線２９の巻数は、一次巻線２８の巻数よりも多くなる設定とされているので、一次巻線２８側に付与された電圧よりも大きな電圧が二次巻線２９側に誘導され、つまり昇圧が可能とされている。すなわち、本実施形態にて用いられるトランス２２は、いわゆる「昇圧トランス」である。但し、コア２７に対する一次巻線２８または二次巻線２９の少なくともいずれか一方の位置関係などの組み付け状態が不完全であれば、上記昇圧機能は発揮されず、二次巻線２９側に高圧電圧が発生することがない。
【００４３】
本実施形態は以上のような構造であり、続いてその作用を説明する。上記した構成の液晶表示装置１０は、それぞれ別途に製造された液晶パネル１１及びバックライト装置１２をベゼル１３などにより互いに組み付けることで製造される。以下では、このうちバックライト装置１２の組み付け手順について説明する。
【００４４】
バックライト装置１２の組み付けにあたっては、まずシャーシ１４の表側内面に反射シート１５を敷設するとともに、シャーシ１４のうち長辺方向について各取付孔１４ｂ側とは反対側の端部に接地基板２４及び接続部材２３を設置する一方、図５に示すように、シャーシ１４の各取付孔１４ｂに対して光源保持部材２１の軸部２５ｂを貫通させつつ取り付けるようにする。光源保持部材２１を取り付けた状態では、フランジ２５ｄが反射シート１５に当接されるとともに、保持突起２５ｃが取付孔１４ｂの孔縁の裏側に係止することで抜け止めが図られており、また、コア２７における第２端部２７ｂがシャーシ１４よりも裏側に所定寸法突出した位置に配される。なお、この光源保持部材２１には、取り付けに先立って予め二次巻線２９が巻装されている。
【００４５】
その後、冷陰極管１８の一方の端部に配された口金１８ｂを光源保持部材２１１の光源保持部２５ａに、他方の端部に配された口金１８ｂを接続部材２３に対してそれぞれ保持させる。このとき、冷陰極管１８の一方の端部側の口金１８ｂは、光源保持部２５ａに配された接続端子２６の両弾性保持片２６ｂ間に弾性的に保持される。これにより、冷陰極管１８の一方の端部側の口金１８ｂと、二次巻線２９とが接続端子２６を介して電気的に接続される。
【００４６】
上記冷陰極管１８の取り付けに並行してシャーシ１４に対するインバータ基板２０の取り付け作業を行う。一次巻線２８が予め取り付けられた状態のインバータ基板２０をシャーシ１４の底板１４ａに対して裏側から取り付けるのに伴い、各挿通孔２０ａに対して各光源保持部材２１の軸部２５ｂが挿通される。そして、取付状態に至ると、図３に示すように、光源保持部材２１に内蔵されたコア２７の第１端部２７ａがインバータ基板２０の裏側に突出するとともに一次巻線２８の中空部２８ａを貫き、第１端部２７ａの周りが一次巻線２８により取り囲まれる。このとき、第１端部２７ａが一次巻線２８の中空部２８ａに対して正常な深さまで差し込まれていれば、コア２７と一次巻線２８とのＺ軸方向についての位置関係が正常になり、つまりトランス２２の組み付け状態が完全なものとなるので、トランス２２の昇圧機能を設計通りに発揮させることができる。
【００４７】
ところが、例えば一次巻線２８の中空部２８ａに対する第１端部２７ａの差し込み深さが不足していたり、或いは過剰であったりすると、コア２７と一次巻線２８とのＺ軸方向についての位置関係が不正常となり、つまりトランス２２の組み付けが不完全となる。この場合には、トランス２２の昇圧機能が設計通りには発揮されず、従って一次巻線２８に通電しても二次巻線２９側に高圧電圧が発生することがない。
【００４８】
ここで、仮に従来のようにトランスを実装したインバータ基板と冷陰極管とを中継コネクタなどの接続部品により接続したものでは、接続部品に対するインバータ基板または冷陰極管の組み付けが不完全であった場合にトランスにて発生した高圧電圧により放電などの不具合が生じるおそれがある。それと比べると、本実施形態では、トランス２２のうちコア２７及び二次巻線２９を光源保持部材２１側に一体化するとともに、一次巻線２８をインバータ基板２０側に一体化し、トランス２２に冷陰極管１８側とインバータ基板２０側との電力供給を中継する機能を持たせるようにしているので、組み付けが不完全な場合に、従来のような放電などの不具合が生じるのを防ぐことができる。なお、光源保持部材２１に対する冷陰極管１８及びインバータ基板２０の具体的な取り付け順序は適宜変更可能である。
【００４９】
以上説明したように本実施形態のバックライト装置１２は、光源である冷陰極管１８と、冷陰極管１８を収容するシャーシ１４と、シャーシ１４に対して冷陰極管１８とは反対側に配され、冷陰極管１８に対して駆動電力を供給するインバータ基板２０と、シャーシ１４を貫通して配されるコア２７と、コア２７のうちインバータ基板２０側に配される一次巻線２８と、コア２７のうち冷陰極管１８側に配される二次巻線２９とを有し、インバータ基板２０と冷陰極管１８との間の電力供給を中継するトランス２２とを備える。
【００５０】
上記した構成では、トランス２２を構成するコア２７がシャーシ１４を貫通して配されるととともに、一次巻線２８がコア２７のうちインバータ基板２０側に、二次巻線２９がコア２７のうち冷陰極管１８側にそれぞれ配されており、トランス２２がインバータ基板２０と冷陰極管１８との間の電力供給を中継する機能を有している。従って、トランス２２を構成するコア２７、一次巻線２８及び二次巻線２９の相互の組み付けが正常であれば、トランス２２が正常に機能し、インバータ基板２０から冷陰極管１８に供給する電圧を昇圧することが可能となる。その一方、トランス２２を構成するコア２７、一次巻線２８及び二次巻線２９の相互の組み付けが不完全であれば、トランス２２が正常には機能せず、昇圧されることがない。従って、従来のようにトランスを実装したインバータ基板と冷陰極管とを接続部品により接続したものでは、その組み付けが不完全であった場合にトランスにて発生した高圧電圧により放電などの不具合が発生するおそれがあるのと比べると、そのような不具合の発生を防ぐことができる。
【００５１】
また、シャーシ１４に取り付けられるとともに冷陰極管１８を保持可能な光源保持部材２１を備えており、コア２７が光源保持部材２１に一体的に設けられている。このようにすれば、組付作業性や取り扱い性に優れるとともに、省スペース化にも好適となる。
【００５２】
また、二次巻線２９は、光源保持部材２１に一体的に設けられている。このようにすれば、組付作業性や取り扱い性に一層優れるとともに、省スペース化にもより好適となる。
【００５３】
また、光源保持部材２１には、一端側が二次巻線２９に、他端側が冷陰極管１８に設けられた外部接続部である口金１８ｂにそれぞれ接続される接続端子２６が一体的に設けられている。このようにすれば、接続端子２６を介して二次巻線２９と冷陰極管１８の口金１８ｂとを接続することができる。さらには、接続端子２６における他端側には、口金１８ｂを弾性的に保持可能な弾性保持片２６ｂが設けられている。このようにすれば、弾性保持片２６ｂに冷陰極管１８の保持機能と、口金１８ｂに対する接続機能とを併せ持たせることができ、構造の簡素化に好適となる。
【００５４】
また、光源保持部材２１は、絶縁性を有し、コア２７とシャーシ１４との間に介在する絶縁部であるハウジング２５を備えている。このようにすれば、ハウジング２５によりコア２７とシャーシ１４とを絶縁状態に保つことができる。
【００５５】
また、ハウジング２５は、コア２７の周りにモールド成形されてなる。このようにすれば、低コストでもってコア２７を光源保持部材２１に一体化させることができる。
【００５６】
また、一次巻線２８は、インバータ基板２０に一体的に設けられている。このようにすれば、組付作業性や取り扱い性に優れるとともに、省スペース化にも好適となる。
【００５７】
また、一次巻線２８は、インバータ基板２０のうちシャーシ１４側とは反対側に配されている。このようにすれば、一次巻線２８とシャーシ１４との間にインバータ基板２０が介在することになるから、一次巻線２８とコア２７との電磁気的関係を安定化させることができる。
【００５８】
また、光源は、放電管の一種である冷陰極管１８とされる。このようにすれば、光源として冷陰極管１８（放電管）を用いるものに好適となる。
【００５９】
＜実施形態２＞
本発明の実施形態２を図６によって説明する。この実施形態２では、冷陰極管１８Ａの構成を変更するとともに、トランス２２Ａのコア２７Ａ及び二次巻線２９Ａを光源保持部材３１とは別部品化したものを示す。なお、この実施形態２では、上記した実施形態１と同様の部位には、同一の符号を用いるとともにその末尾に添え字Ａを付すものとし、構造、作用及び効果について重複する説明は省略する。
【００６０】
冷陰極管１８Ａは、ガラス管１８ａＡの両端部から内部の電極に接続されたアウタリード１８ｃがそれぞれ外部に突出する構成とされる。光源保持部材３１は、シャーシ１４Ａの底板１４ａＡに取り付けられる基部３１ａと、基部３１ａから裏側に突出し底板１４ａＡに設けられた孔部１４ｃの孔縁に係止する係止部３１ｂと、基部３１ａから表側に突出して冷陰極管１８Ａを保持可能な光源保持部３１ｃとから構成される。
【００６１】
一方、トランス２２Ａのコア２７Ａ及び二次巻線２９Ａは、上記光源保持部材３１とは別部品で、絶縁性を有する合成樹脂製の絶縁体３２に一体化されている。詳しくは、絶縁体３２は、コア２７Ａの周りにモールド成形されており、コア２７Ａに沿って略円柱状をなす本体部３２ａを備える。絶縁体３２は、シャーシ１４Ａの底板１４ａＡのうち冷陰極管１８Ａの端部よりもＸ軸方向について端寄りに配された取付孔１４ｂＡを貫通した状態で取り付けられ、コア２７Ａと取付孔１４ｂＡの孔縁との間に本体部３２ａが介在する。本体部３２ａのうち、シャーシ１４Ａ内に配される部分には、一対のフランジ３２ｂが張り出し形成されている。そして、両フランジ３２ｂ間に保有される空間には、二次巻線２９Ａが取り付けられている。二次巻線２９Ａは、コア２７Ａの第２端部２７ｂＡに対して絶縁体３２の本体部３２ａを介在させつつ巻装されている。二次巻線２９Ａのうち接地されない側の端部は、冷陰極管１８Ａのアウタリード１８ｃに接続される。コア２７Ａの第１端部２７ａＡは、本体部３２ａの先端部と共にシャーシ１４Ａの裏側に突出するとともに、インバータ基板２０の挿通孔２０ａＡに挿通されてそこに配された一次巻線２８Ａを貫いた状態とされる。なお、本体部３２ａには、取付孔１４ｂＡの孔縁の裏側に係止可能な保持突起３２ｃが設けられている。
【００６２】
以上説明したように本実施形態によれば、コア２７Ａの周りには、絶縁性を有し、シャーシ１４Ａに対して取り付けられる絶縁体３２が一体的に設けられている。このようにすれば、絶縁体３２により、コア２７Ａをシャーシ１４Ａに対して取り付けることができるとともに、コア２７Ａとシャーシ１４Ａとを絶縁状態に保つことができる。
【００６３】
＜他の実施形態＞
本発明は上記記述及び図面によって説明した実施形態に限定されるものではなく、例えば次のような実施形態も本発明の技術的範囲に含まれる。
（１）上記した実施形態１では、コアに光源保持部材のハウジングをモールド成形することで一体化したものを示したが、コアとハウジングとを別途に製造しておき、それらを組み付けることで一体化するようにしたものも本発明に含まれる。
【００６４】
（２）上記した各実施形態では、コアを光源保持部材に一体化したものを示したが、コアをインバータ基板に一体化したものも本発明に含まれる。その場合、一次巻線をコア及びインバータ基板と一体化することができる。それ以外にも、コアをシャーシに一体化したものも本発明に含まれる。
【００６５】
（３）上記した各実施形態では、光源保持部材のハウジング（絶縁体）に対して二次巻線を直接巻装したものを示したが、二次巻線を光源保持部材（絶縁体）とは別の部品に取り付け、その部品を光源保持部材（絶縁体）に対して組み付けるようにしたものも本発明に含まれる。その場合、二次巻線に代えて一次巻線を光源保持部材のハウジング（絶縁体）に対して直接巻装するようにしても構わない。
【００６６】
（４）上記した各実施形態では、一次巻線をインバータ基板のうちシャーシとは反対側の面に配したものを示したが、一次巻線をインバータ基板のうちシャーシ側の面に配したものも本発明に含まれる。その場合、一次巻線のシャーシ側に絶縁部を設けるようにし、シャーシとの絶縁状態を担保することが好ましい。それ以外にも、インバータ基板における一次巻線の設置位置は適宜に変更可能である。
【００６７】
（５）上記した各実施形態では、一次巻線をインバータ基板に対して直接取り付けたものを示したが、一次巻線をインバータ基板とは別の部品に取り付け、その部品をインバータ基板に対して組み付けるようにしたものも本発明に含まれる。
【００６８】
（６）上記した各実施形態以外にも、トランスの二次巻線と冷陰極管との間にコンデンサなどの電子部品を介設してもよい。
【００６９】
（７）上記した各実施形態では、各冷陰極管毎にトランスを直列に接続したものを示したが、１つのトランスに対して複数本の冷陰極管を並列に接続したものも本発明に含まれる。
【００７０】
（８）上記した各実施形態では、冷陰極管の一方の端部の電極が昇圧トランスに接続され、他方の端部の電極が接地される、いわゆる片側駆動のものを例示したが、冷陰極管の両端部に対して別々の昇圧トランスが接続される、いわゆる両側駆動のものにも本発明は適用可能である。その場合、冷陰極管の両端部に対応してインバータ基板が一対用意する必要がある。
【００７１】
（９）上記した各実施形態では、光源として放電管の一種である冷陰極管を用いた場合を例示したが、熱陰極管や水銀ランプなど他の種類の放電管を用いたものも本発明に含まれる。
【００７２】
（１０）上記した実施形態２に示した構成の冷陰極管を、実施形態１に記載した構成のバックライト装置に適用することも可能である。その場合、接続端子の弾性保持片を省略して代わりにアウタリードに対する接続部を設けるようにしてもよい。このとき、接続部に対するアウタリードの接続方法として溶接や溶着などの手法を採用することができる。
【００７３】
（１１）上記した実施形態１では、冷陰極管を構成するガラス管の両端部に口金を外装したものを用いた場合を例示したが、ガラス管の両端部に口金を一体に設けるようにしたものを用いることも可能である。
【００７４】
（１２）上記した各実施形態以外にも、コアは、少なくともシャーシなどの導電性部材に対する絶縁性が担保されているのであれば、部分的にハウジングまたは絶縁体から外部に露出する形態とすることも可能である。
【００７５】
（１３）上記した実施形態１では、光源保持部材のハウジングのみにコアを一体化したものを示したが、コアを一対に分割し、一方の分割コアをハウジングに一体化するとともに、他方の分割コアをインバータ基板に一体化するようにし、両分割コアを電磁気的に繋ぐ配置とするようにしたものも本発明に含まれる。同様に、実施形態２において、コアを一対に分割し、一方の分割コアを絶縁体に一体化するとともに、他方の分割コアをインバータ基板に一体化するようにしてもよい。
【００７６】
（１４）上記した各実施形態では、Ｉコア型のトランスを例示したが、Ｅ・Ｉ型、Ｕ・Ｉ型、Ｏ・Ｉ型などの種類のトランスを用いることも勿論可能である。
【００７７】
（１５）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【００７８】
（１６）上記した各実施形態では、表示素子として液晶パネルを用いた液晶表示装置を例示したが、他の種類の表示素子を用いた表示装置にも本発明は適用可能である。
【００７９】
（１７）上記した各実施形態では、チューナーを備えたテレビ受信装置を例示したが、チューナーを備えない表示装置にも本発明は適用可能である。
【００８０】
（１８）上記した各実施形態では、直下型のバックライト装置について例示したが、エッジライトタイプのバックライト装置にも本発明は適用可能である。
【００８１】
（１９）上記した各実施形態では、インバータ基板をシャーシの底面に対して並行に取り付けたものについて例示したが、インバータ基板をシャーシの側面に対して並行に取り付けるようにしたものにも本発明は適用可能である。
【符号の説明】
【００８２】
１０…液晶表示装置（表示装置）
１１…液晶パネル（表示パネル）
１２…バックライト装置（照明装置）
１４…シャーシ
１８…冷陰極管（光源）
１８ｂ…口金（外部接続部）
１８ｃ…アウタリード（外部接続部）
２０…インバータ基板（電力供給基板）
２１…光源保持部材
２２…トランス
２５…ハウジング（絶縁部）
２６…接続端子
２６ｂ…弾性保持片
２７…コア
２８…一次巻線
２９…二次巻線
３２…絶縁体
ＴＶ…テレビ受信装置
【図１】
2010225531.tif 000003
【図２】
2010225531.tif 000004
【図３】
2010225531.tif 000005
【図４】
2010225531.tif 000006
【図５】
2010225531.tif 000007
【図６】
2010225531.tif 000008